(57)【要約】【課題】コンクリート型枠をコンクリート打設空間内の巾方向に配設された鉄筋に支持させる際に便利且つ安全に利用できる鉄筋とセパレーターとの連結金具を提供すること。【解決手段】コの字形の本体１と締結ボルト２とから成り、本体１には、その左右両側板３，４それぞれの前縁から切込み形成された左右一対の鉄筋受け部７，８と、当該左右一対の鉄筋受け部７，８で支持される鉄筋１３と平行な方向にセパレーター１４，１５の螺軸部１４ａ，１５ａを螺合させるための、ねじ規格が異なる少なくとも２種類のねじ孔９，１１とが設けられ、締結ボルト２は、本体１の天板部５に設けられた上下方向の貫通ねじ孔６を螺合貫通して、前記鉄筋１３を左右一対の鉄筋受け部７，８側へ押圧固定する構成。【選択図】    図２
2004346553.tif 000002
【特許請求の範囲】
【請求項１】
コの字形の本体と締結ボルトとから成り、本体には、その左右両側板それぞれの前縁から切込み形成された左右一対の鉄筋受け部と、当該左右一対の鉄筋受け部で支持される鉄筋と平行な方向にセパレーターの螺軸部を螺合させるための、ねじ規格が異なる少なくとも２種類のねじ孔とが設けられ、締結ボルトは、本体の天板部に設けられた上下方向の貫通ねじ孔を螺合貫通して、前記鉄筋を左右一対の鉄筋受け部側へ押圧固定する、鉄筋とセパレーターとの連結金具。
【請求項２】
前記２種類のねじ孔が、本体左右両側板それぞれに振り分けて設けられている、請求項１に記載の鉄筋とセパレーターとの連結金具。
【請求項３】
前記２種類のねじ孔は互いに同心状に設けられている、請求項２に記載の鉄筋とセパレーターとの連結金具。
【請求項４】
前記２種類のねじ孔は互いに位置がずらされており、各ねじ孔と同心状で当該ねじ孔に螺合されるセパレーターの挿通用貫通孔が相手側の側板に設けられている、請求項２に記載の鉄筋とセパレーターとの連結金具。
【請求項５】
前記各ねじ孔及び各貫通孔は、本体の側面視において、前記締結ボルト及び鉄筋受け部のある位置に対して後側にずれた位置で上下に配置されている、請求項４に記載の鉄筋とセパレーターとの連結金具。
【請求項６】
前記ねじ孔及び各貫通孔は、外側へ突出する筒状壁を周囲に備えたバーリング加工孔で構成されている、請求項４又は５に記載の鉄筋とセパレーターとの連結金具。
【発明の詳細な説明】
【０００１】
【発明の属する技術分野】
本発明は、コンクリート構造物を築造する際に使用される鉄筋とセパレーターとの連結金具に関するものである。
【０００２】
【従来の技術】
コンクリート型枠用セパレーターは、コンクリート打設空間を形成するコンクリート型枠を位置決めするためのもので、一般的には、コンクリート打設空間を挟むように配置された並列コンクリート型枠どうしを連結するように使用される。しかしながら、橋梁のように巾が非常に広いコンクリート打設空間が必要である場合、この巾の広いコンクリート打設空間を横断できる長尺のセパレーターを準備することは、コストがかかるだけでなく取り扱いも容易でない。このような場合、当該コンクリート打設空間に巾方向に沿って配設された鉄筋をセパレーターの一部として使用することが行われるが、このときに鉄筋と通常長さのセパレーターとを連結するための連結金具が必要になる。
【０００３】
従来のこの種の連結金具は、特許文献などを示すことはできないが、鉄筋とこれに沿わせたセパレーターとをクランプ金具で締め付けて結合するタイプのものであり、締め付け力が十分でないと両者間に滑りが生じる恐れがあり、十分な結合強度を得ることが困難なものであった。
【０００４】
【課題を解決するための手段】
本発明は上記のような従来の問題点を解消し得る鉄筋とセパレーターとの連結金具を提供することを目的とするものであって、その手段を後述する実施形態の参照符号を付して示すと、コの字形の本体１と締結ボルト２とから成り、本体１には、その左右両側板３，４それぞれの前縁から切込み形成された左右一対の鉄筋受け部７，８と、当該左右一対の鉄筋受け部７，８で支持される鉄筋１３と平行な方向にセパレーター１４，１５の螺軸部１４ａ，１５ａを螺合させるための、ねじ規格が異なる少なくとも２種類のねじ孔９，１１とが設けられ、締結ボルト２は、本体１の天板部５に設けられた上下方向の貫通ねじ孔６を螺合貫通して、前記鉄筋１３を左右一対の鉄筋受け部７，８側へ押圧固定する構成となっている。
【０００５】
上記構成の本発明を実施する場合、前記２種類のねじ孔９，１１は、本体左右両側板３，４それぞれに振り分けて設けることができる。この場合、前記２種類のねじ孔９，１１は互いに同心状に設けることもできるが、前記２種類のねじ孔９，１１を互いに位置をずらして設け、各ねじ孔９，１１と同心状で当該ねじ孔９，１１に螺合されるセパレーター１４，１５の挿通用貫通孔１０，１２を相手側の側板３，４に設けることが望ましい。
【０００６】
又、前記各ねじ孔９，１１及び各貫通孔１０，１２は、本体１の側面視において、前記締結ボルト２及び鉄筋受け部７，８のある位置に対して後側にずれた位置で上下に配置することができる。更に、前記ねじ孔９，１１及び各貫通孔１０，１２は、外側へ突出する筒状壁９ａ〜１２ａを周囲に備えたバーリング加工孔で構成することができる。
【０００７】
【発明の実施の形態】
以下に本発明の好適実施形態を添付図に基づいて説明すると、図１及び図２において、１はコの字形の本体であり、２は締結ボルトである。本体１は、その左右両側板３，４をつなぐ天板部５の前端寄り位置に外方に突出する筒状壁６ａを備えたバーリング加工孔で構成された上下方向の貫通ねじ孔６が設けられ、この貫通ねじ孔６に締結ボルト２が螺合貫通せしめられている。
【０００８】
本体１の左右両側板３，４には、締結ボルト２の真下左右両側に位置するように、その前縁から切込み形成された左右一対の鉄筋受け部７，８が設けられている。更に、本体１の一方の側板３には、外方に突出する筒状壁９ａを備えたバーリング加工孔で構成された２分５厘（Ｗ５／１６）径のセパレーター結合用ねじ孔９が鉄筋受け部７，８の位置に対して後側下方位置に設けられると共に、このねじ孔９の上方で且つ鉄筋受け部７，８よりも上方位置に、外方に突出する筒状壁１０ａを備えたバーリング加工孔で構成された３分（Ｗ３／８）径のセパレーターが挿通し得る貫通孔１０が設けられ、本体１の他方の側板４には、前記貫通孔１０と同心状で外方に突出する筒状壁１１ａを備えたバーリング加工孔で構成された３分（Ｗ３／８）径のセパレーター結合用ねじ孔１１が設けられると共に、前記ねじ孔９と同心状で外方に突出する筒状壁１２ａを備えたバーリング加工孔で構成された２分５厘（Ｗ５／１６）径のセパレーターが挿通し得る貫通孔１２が設けられている。
【０００９】
上記構成の連結金具は、図２に示すように、コンクリート打設空間の巾方向に沿った鉄筋１３の端部近傍適当箇所に本体１の左右一対の鉄筋受け部７，８を嵌合させた状態で締結ボルト２を締め付けることにより、当該締結ボルト２で鉄筋１３を左右一対の鉄筋受け部７，８の方へ押圧させ、３点支持状態で本体１を鉄筋１３に安定的に固定することができる。而して、外端側でコンクリート型枠を位置決めするセパレーターは、それが３分径の内端螺軸部１４ａを有する大径セパレーター１４であるときは、図２に示すように、本体１の取り付け向きに応じて直接又は貫通孔１０を経由させてねじ孔１１に内端螺軸部１４ａを螺合連結し、セパレーターが２分５厘径の内端螺軸部１５ａを有する小径セパレーター１５であるときは、本体１の取り付け向きに応じて直接又は貫通孔１２を経由させてねじ孔９に内端螺軸部１４ａを螺合連結することができる。勿論、セパレーター１４又は１５の位置は、鉄筋１３の周りに本体１を回転させることにより当該鉄筋１３の周方向に調整することができる。
【００１０】
尚、上記実施形態では、２分５厘径のねじ孔９と３分径のねじ孔１１とを設けたが、ねじ規格はこの２種類に限定されない。勿論、ねじ規格も２種類に限定されるわけではなく、３種類又はそれ以上であっても良い。又、基本的には、片側の側板３又は４に複数種類のねじ規格のねじ孔（例えばねじ孔９，１１）を設け、必要に応じて他方の側板４又は３に、各ねじ孔と同心状のセパレーター挿通用貫通孔（例えば貫通孔１０，１２）を設けることも可能である。
【００１１】
更に、図３に示すように、２種類のねじ規格のねじ孔９，１１を本体１の左右両側板３，４に同心状に振り分けて設けることもできる。この場合は、小径セパレーター１５が大径セパレーター１４用のねじ孔１１に挿通させることができるときのみ、小径セパレーター１５は、本体１の左右何れ側からもねじ孔９を利用して本体１に螺合連結させることができるが、大径セパレーター１４は、ねじ孔１１が設けられている側からのみ本体１に螺合連結させることができる。
【００１２】
【発明の効果】
本発明は以上のように実施し且つ使用することが出来るものであって、係る本発明の鉄筋とセパレーターとの連結金具によれば、巾の広いコンクリート打設空間の巾方向に配設されている鉄筋にコンクリート型枠をセパレーターを介して簡単容易に連結することができ、長尺のセパレーターを使用しなければならない場合と比較してコンクリート型枠の組み立てコストを下げることができるのであるが、特に本発明の構成によれば、鉄筋に対しては本体を、締結ボルトを使用して３点支持の状態に強固に固定することができ、この本体に対するセパレーターの連結は、セパレーターが備える螺軸部を利用するねじ結合によるものであるから、全体として鉄筋に対してセパレーターを強固に結合することができ、安全性の高いコンクリート型枠を組み立てることができる。しかも、本体にはねじ規格の異なる少なくとも２種類のセパレーター結合用ねじ孔が設けられているので、ねじ規格（太さ）の異なる少なくとも２種類のセパレーターを利用することができ、汎用性も高い。
【００１３】
尚、請求項２に記載の構成によれば、本体左右両側板の片側にのみ２種類のねじ孔が設けられる場合と比較して、本体側板の強度のバランスが良く、安全性が高められる。この場合、請求項３に記載の構成によれば、ねじ規格の異なる２種類のセパレーターの何れを使用する場合でも、強度面でほぼ同一の条件となり、ねじ規格の異なる２種類のセパレーターの何れもを安全に利用することができる。
【００１４】
更に、請求項４に記載の構成によれば、ねじ規格の異なる２種類のセパレーターの何れを使用する場合でも、これらセパレーターを本体の左右何れ側からでもねじ結合することができ、鉄筋に本体を取り付ける際に本体の取り付け向きを考慮する必要がなくなり、容易且つ能率よく使用することができる。この場合、請求項５に記載の構成によれば、本体全体を強度面でバランス良く構成することができる。更に、請求項６に記載の構成によれば、多数の孔加工による本体の強度低下を抑えることができる。
【図面の簡単な説明】
【図１】Ａ図は側面図、Ｂ図は正面図、Ｃ図は平面図である。
【図２】Ａ図は使用状態を示す鉄筋位置での縦断正面図、Ｂ図は同縦断側面図、Ｃ図は同セパレーター位置での縦断正面図である。
【図３】変形例を示す要部の縦断正面図である。
【符号の説明】
１    コの字形の本体
２    締結ボルト
３，４    本体左右両側板
５    本体天板部
６    貫通ねじ孔
７，８    鉄筋受け部
９，１１    セパレーター結合用ねじ孔
１０，１２    セパレーター挿通用貫通孔
９ａ〜１２ａ    筒状壁
１３    鉄筋
１４，１５    セパレーター
１４ａ，１５ａ    セパレーターの螺軸部
【図１】
2004346553.tif 000003
【図２】
2004346553.tif 000004
【図３】
2004346553.tif 000005